(57)【要約】【課題】開いた状態（第１形状）でも閉じた状態（第２形状）でも適切な空間音響及び音声音量（送話音質）を実現するスライド式携帯電話端末を提供すること。【解決手段】制御部は、第１、２形状において、マイクから第１アンプを介してユーザの音声を入力し、音声信号に変換して無線により送信し、相手先からの音声信号を相手先の音声に変換し、第２アンプを介してレシーバに出力する通話処理を実行する（ステップＳ１）。マイク、レシーバはそれぞれ第１、２筐体の一端部に設けられている場合、第２形状であるときのレシーバとマイクとの直線距離は、第１形状であるときのレシーバとマイクとの直線距離よりも短い。そこで、制御部は、連結部を監視し（ステップＳ２）、第２形状である場合（ステップＳ３−ＹＥＳ）、第１形状である場合（ステップＳ３−ＮＯ、Ｓ４）よりも第１アンプのゲインを低減する（ステップＳ５）。【選択図】図８
2010103854.tif 000002
【特許請求の範囲】
【請求項１】
第１及び２筐体と、
前記第１及び２筐体を連結し、ユーザが前記第２筐体を前記第１筐体に対して平行な方向にスライドさせたときに、前記第１筐体と前記第２筐体とが重ならない第１形状、又は、前記第１筐体と前記第２筐体とが重なる第２形状を形成するための連結部と、
ユーザの音声を収集するためのマイクと、
前記ユーザの音声を増幅する第１アンプと、
前記第１、２形状において、前記第１アンプからの前記ユーザの音声を音声信号に変換して無線により送信し、前記相手先からの音声信号を前記相手先の音声に変換する通話処理を実行する制御部と、
前記制御部からの前記相手先の音声を増幅する第２アンプと、
前記第２アンプからの前記相手先の音声を出力するレシーバと、
を具備し、
前記マイク、前記レシーバはそれぞれ前記第１、２筐体の一端部に設けられ、前記第２形状であるときの前記レシーバと前記マイクとの直線距離は、前記第１形状であるときの前記レシーバと前記マイクとの直線距離よりも短く、
前記制御部は、
前記連結部を監視し、前記第１又は２形状を表す監視結果を出力する形状監視部と、
前記監視結果が前記第２形状を表す場合、前記監視結果が前記第１形状を表す場合よりも前記第１又は２アンプのゲインを低減するゲイン調整部と、
を具備するスライド式携帯電話端末。
【請求項２】
前記制御部は、
前記第１、２形状を表す情報と、前記第１、２形状であるときに前記第１又は２アンプを制御するための第１、２ゲインを表す情報と、が格納されたゲイン調整テーブル、
を更に具備し、
前記第２ゲインは、前記第１ゲインよりも低く、
前記ゲイン調整部は、
前記監視結果が前記第１形状を表す場合、前記ゲイン調整テーブルを参照して、前記第１ゲインで前記ユーザ又は前記相手先の音声を増幅するように前記第１又は２アンプを制御し、
前記監視結果が前記第２形状を表す場合、前記ゲイン調整テーブルを参照して、前記第２ゲインで前記ユーザ又は前記相手先の音声を増幅するように前記第１又は２アンプを制御する、
請求項１に記載のスライド式携帯電話端末。
【請求項３】
前記ユーザの音声信号のうちの、前記レシーバと前記マイクとの間に生じるエコーを表す信号を抑制するエコー抑制システム
を更に具備し、
前記制御部は、
前記第１、２形状を表す情報と、前記第１、２形状であるときにそれぞれ前記エコーを抑制するためのパラメータを表す第１、２キャンセリング信号と、が格納されたエコー抑制テーブルと、
エコー抑制部と、
を更に具備し、
前記監視結果が前記第１形状を表す場合、
前記エコー抑制部は、前記エコー抑制テーブルを参照して、前記第１キャンセリング信号を前記エコー抑制システムに出力し、
前記エコー抑制システムは、前記ユーザの音声信号のうちの、前記エコーを表す信号に、前記第１キャンセリング信号を加算し、
前記監視結果が前記第２形状を表す場合、
前記エコー抑制部は、前記エコー抑制テーブルを参照して、前記第２キャンセリング信号を前記エコー抑制システムに出力し、
前記エコー抑制システムは、前記ユーザの音声信号のうちの、前記エコーを表す信号に、前記第２キャンセリング信号を加算する、
請求項２に記載のスライド式携帯電話端末。
【請求項４】
前記相手先の音声信号のうちの、前記エコーを表す信号を抑制する受話側エコー抑制システム、
を更に具備し、
前記エコー抑制システム、前記受話側エコー抑制システムをそれぞれ第１、２エコー抑制システムとした場合、
前記監視結果が前記第１形状を表す場合、
前記エコー抑制部は、前記エコー抑制テーブルを参照して、前記第１キャンセリング信号を前記第１、２エコー抑制システムに出力し、
前記第１、２エコー抑制システムは、それぞれ、前記ユーザの音声信号、前記相手先の音声信号のうちの、前記エコーを表す信号に、前記第１キャンセリング信号を加算し、
前記監視結果が前記第２形状を表す場合、
前記エコー抑制部は、前記エコー抑制テーブルを参照して、前記第２キャンセリング信号を前記第１、２エコー抑制システムに出力し、
前記第１、２エコー抑制システムは、それぞれ、前記ユーザの音声信号、前記相手先の音声信号のうちの、前記エコーを表す信号に、前記第２キャンセリング信号を加算する、
請求項３に記載のスライド式携帯電話端末。
【請求項５】
前記ユーザの音声信号のうちの、音響伝達関数を表す信号を抑制するイコライザ、
を更に具備し、
前記制御部は、
前記第１、２形状を表す情報と、前記第１、２形状であるときにそれぞれ前記音響伝達関数を排除するための第１、２逆関数を表す信号と、が格納された関数切替テーブルと、
関数切替部と、
を更に具備し、
前記監視結果が前記第１形状を表す場合、
前記関数切替部は、前記関数切替テーブルを参照して、前記第１逆関数を表す信号を前記イコライザに出力し、
前記イコライザは、前記ユーザの音声信号のうちの、前記音響伝達関数を表す信号に、前記第１逆関数を表す信号を乗算し、
前記監視結果が前記第２形状を表す場合、
前記関数切替部は、前記関数切替テーブルを参照して、前記第２逆関数を表す信号を前記イコライザに出力し、
前記イコライザは、前記ユーザの音声信号のうちの、前記音響伝達関数を表す信号に、前記第２逆関数を表す信号を乗算する、
請求項２〜４のいずれかに記載のスライド式携帯電話端末。
【請求項６】
連結部が、第１及び２筐体を連結し、ユーザが前記第２筐体を前記第１筐体に対して平行な方向にスライドさせたときに、前記第１筐体と前記第２筐体とが重ならない第１形状、又は、前記第１筐体と前記第２筐体とが重なる第２形状を形成するステップと、
マイクが、ユーザの音声を収集するステップと、
第１アンプが、前記ユーザの音声を増幅するステップと、
装置が、前記第１、２形状において、前記第１アンプからの前記ユーザの音声を音声信号に変換して無線により送信し、前記相手先からの音声信号を前記相手先の音声に変換する通話処理を実行するステップと、
第２アンプが、前記装置からの前記相手先の音声を増幅するステップと、
レシーバが、前記第２アンプからの前記相手先の音声を出力するステップと、ここで、前記マイク、前記レシーバはそれぞれ前記第１、２筐体の一端部に設けられ、前記第２形状であるときの前記レシーバと前記マイクとの直線距離は、前記第１形状であるときの前記レシーバと前記マイクとの直線距離よりも短く、
前記連結部を監視し、前記第１又は２形状を表す監視結果を出力するステップと、
前記装置は、前記監視結果が前記第２形状を表す場合、前記監視結果が前記第１形状を表す場合よりも前記第１又は２アンプのゲインを低減するステップと、
を具備するスライド式携帯電話端末の通信方法。
【請求項７】
前記装置は、前記監視結果が前記第１形状を表す場合、前記第１、２形状を表す情報と、前記第１、２形状であるときに前記第１又は２アンプを制御するための第１、２ゲインを表す情報と、が格納されたゲイン調整テーブルを参照して、前記第１ゲインで前記ユーザ又は前記相手先の音声を増幅するように前記第１又は２アンプを制御するステップと、ここで、前記第２ゲインは、前記第１ゲインよりも低く、
前記装置は、前記監視結果が前記第２形状を表す場合、前記ゲイン調整テーブルを参照して、前記第２ゲインで前記ユーザ又は前記相手先の音声を増幅するように前記第１又は２アンプを制御するステップと、
を更に具備する請求項６に記載のスライド式携帯電話端末の通信方法。
【請求項８】
前記監視結果が前記第１形状を表す場合、
前記装置は、前記第１、２形状を表す情報と、前記第１、２形状であるときにそれぞれ前記エコーを抑制するためのパラメータを表す第１、２キャンセリング信号と、が格納されたエコー抑制テーブルを参照して、前記ユーザの音声信号のうちの、前記レシーバと前記マイクとの間に生じるエコーを表す信号に前記第１キャンセリング信号を加算するステップと、
前記監視結果が前記第２形状を表す場合、
前記装置は、前記エコー抑制テーブルを参照して、前記ユーザの音声信号のうちの、前記エコーを表す信号に、前記第２キャンセリング信号を加算するステップと、
を更に具備する請求項７に記載のスライド式携帯電話端末の通信方法。
【請求項９】
前記監視結果が前記第１形状を表す場合、
前記装置は、前記エコー抑制テーブルを参照して、前記ユーザの音声信号、前記相手先の音声信号のうちの、前記エコーを表す信号に、前記第１キャンセリング信号を加算するステップと、
前記監視結果が前記第２形状を表す場合、
前記装置は、前記エコー抑制テーブルを参照して、前記ユーザの音声信号、前記相手先の音声信号のうちの、前記エコーを表す信号に、前記第２キャンセリング信号を加算するステップと、
を更に具備する請求項８に記載のスライド式携帯電話端末の通信方法。
【請求項１０】
前記監視結果が前記第１形状を表す場合、
前記装置は、前記第１、２形状を表す情報と、前記第１、２形状であるときにそれぞれ前記音響伝達関数を排除するための第１、２逆関数を表す信号と、が格納された関数切替テーブルを参照して、前記ユーザの音声信号のうちの、音響伝達関数を表す信号に、前記第１逆関数を表す信号を乗算するステップと、
前記監視結果が前記第２形状を表す場合、
前記装置は、前記関数切替テーブルを参照して、前記ユーザの音声信号のうちの、前記音響伝達関数を表す信号に、前記第２逆関数を表す信号を乗算するステップと、
を更に具備する請求項７〜９のいずれかに記載のスライド式携帯電話端末の通信方法。
【請求項１１】
請求項６〜１０のいずれかに記載のスライド式携帯電話端末の通信方法の前記装置が実行する各ステップをコンピュータに実行させるコンピュータプログラム。
【発明の詳細な説明】
【技術分野】
【０００１】
本発明は、開いた状態でも閉じた状態でも通話が可能なスライド式携帯電話端末に関する。
【背景技術】
【０００２】
スライド式携帯電話端末が普及されている。スライド式携帯電話端末は、第１筐体と、第２筐体と、連結部と、を具備している。第１筐体の一端部にはマイク音孔が設けられ、マイク音孔にはマイクが設けられている。第２筐体の一端部にはレシーバ音孔が設けられ、レシーバ音孔にはレシーバが設けられている。連結部は、第１、２筐体を連結し、ユーザが第２筐体を第１筐体に対して平行な方向にスライドさせたときに、第１筐体と第２筐体とが重ならない状態である第１形状、又は、第１筐体と第２筐体とが重なる状態である第２形状を形成する。ここで、連結部の構造によっては、第１形状は、第１筐体と第２筐体とが一部重なる状態を表し、第２形状は、第１筐体と第２筐体とが全て重なる状態を表す場合もある。近年では、第１形状でも２形状でも通話が可能なスライド式携帯電話端末も普及されている（例えば、特許文献１参照）。
【０００３】
ここで、携帯電話端末について紹介する。
【０００４】
特許文献１に記載されたスライド式携帯電話端末では、第１筐体のマイクの周辺部に第１の突起部を設け、第２形状のときに第１筐体のマイクと対向する第２筐体の位置に第２の突起部を設け、第１、２の突起部が接触することにより、エコーの発生を低減している。
【０００５】
特許文献２に記載された折り畳み式携帯電話端末では、第１及び２筐体の一端部を連結するヒンジにより、ユーザが第２筐体を第１筐体の表面に対して１８０度回転させたときに、第１及び２筐体が重ならない状態を第１形状とし、第１及び２筐体が重なる状態を第２形状としている。また、第１のマイクを第１筐体の他端部に設け、第２のマイクを第１筐体の一端部に設け、レシーバを第２筐体の他端部に設け、第１形状では、マイクとレシーバとを使用し、第２形状では、マイクと第２のレシーバとを使用している。しかし、この折り畳み式携帯電話端末では、２つのマイクが必要である。また、ユーザが第１形状から第２形状に代えて電話するときに、携帯電話端末を持ち替える必要がある。
【０００６】
特許文献３に記載された折り畳み式携帯電話端末では、第１、２筐体の一端部を連結するヒンジにより、ユーザが第２筐体を第１筐体の表面に対して１８０度回転させたときに、第１、２筐体が重ならない状態を第１形状とし、第１、２筐体が重なる状態を第２形状としている。また、マイクを第１の筐体の他端部に設け、第１のレシーバを第２の筐体の他端部に設け、更に、第２のレシーバを第２の筐体の一端部（第２の筐体の裏面）に設け、第１形状では、マイクとレシーバとを使用し、第２形状では、マイクと第２のレシーバとを使用している。しかし、この折り畳み式携帯電話端末では、ユーザが第１形状から第２形状に代えて電話するときに、携帯電話端末を持ち替える必要がないが、２つのレシーバが必要である。
【０００７】
【特許文献１】特開２００６−１３５８８９号公報
【特許文献２】特開２００４−２２８９２０号公報
【特許文献３】特開２００５−１７５７４７号公報
【発明の開示】
【発明が解決しようとする課題】
【０００８】
ところで、スライド式携帯電話端末において、連結部が第２形状を形成しているときのレシーバ音孔（レシーバ）とマイク音孔（マイク）との直線距離は、連結部が第１形状を形成しているときのレシーバ音孔（レシーバ）とマイク音孔（マイク）との直線距離よりも短い。
【０００９】
このため、第１形状では、レシーバ音孔（レシーバ）とマイク音孔（マイク）の距離が遠く保たれているが、第２形状では、レシーバ音孔とマイク音孔が近接することになる。第２形状では、レシーバ音孔から出た受話音（相手先の音声）が、マイクに回り込み易く、マイクとレシーバとの空間音響（エコー）が大きくなってしまう。また、第２形状では、レシーバからの受話音がマイクに回り込む時間は第１形状に比べて短い。したがって、第１形状と第２形状とでは、空間音響の量が変化することが問題になる。
【００１０】
また、ユーザが通話している場合、第１形状では、話者（ユーザ）の口元とマイクの距離が遠いのに対して、第２形状では、話者の口元とマイクの距離が近くなってしまう。即ち、第２形状では、話者の口からマイクへ伝達する音声の量を表す音声音量が第１形状に比べて大きくなる。また、第２形状では、話者の口元からマイクへ伝達する音声の周波数特性は第１形状に対して変化する。したがって、第１形状と第２形状とでは、話者の口元からマイクへの音場伝播の伝達関数に相違が生じ、送話音質が変化することが問題になる。
【００１１】
したがって、本発明の課題は、開いた状態（第１形状）でも閉じた状態（第２形状）でも適切な空間音響及び音声音量（送話音質）を実現するスライド式携帯電話端末を提供することにある。
【課題を解決するための手段】
【００１２】
本発明のスライド式携帯電話端末は、第１及び２筐体と、連結部と、マイクと、第１アンプと、制御部と、第２アンプと、レシーバと、を具備している。連結部は、第１及び２筐体を連結し、ユーザが第２筐体を第１筐体に対して平行な方向にスライドさせたときに、第１筐体と第２筐体とが重ならない第１形状、又は、第１筐体と第２筐体とが重なる第２形状を形成する。マイクは、ユーザの音声を収集する。第１アンプは、ユーザの音声を増幅する。制御部は、第１、２形状において、第１アンプからのユーザの音声を音声信号に変換して無線により送信し、相手先からの音声信号を相手先の音声に変換する通話処理を実行する。第２アンプは、制御部からの相手先の音声を増幅する。レシーバは、第２アンプからの相手先の音声を出力する。マイク、レシーバはそれぞれ第１、２筐体の一端部に設けられている。この場合、第２形状であるときのレシーバとマイクとの直線距離は、第１形状であるときのレシーバとマイクとの直線距離よりも短い。そこで、制御部は、形状監視部と、ゲイン調整部と、を具備している。形状監視部は、連結部を監視し、第１又は２形状を表す監視結果を出力する。ゲイン調整部は、監視結果が第２形状を表す場合、監視結果が第１形状を表す場合よりも第１又は２アンプのゲインを低減する。
【００１３】
制御部は、ゲイン調整テーブルを更に具備している。ゲイン調整テーブルには、第１、２形状を表す情報と、第１、２形状であるときに第１又は２アンプを制御するための第１、２ゲインを表す情報と、が格納されている。この場合、第２ゲインは、第１ゲインよりも低い。ゲイン調整部は、監視結果が第１形状を表す場合、ゲイン調整テーブルを参照して、第１ゲインでユーザ又は相手先の音声を増幅するように第１又は２アンプを制御する。ゲイン調整部は、監視結果が第２形状を表す場合、ゲイン調整テーブルを参照して、第２ゲインでユーザ又は相手先の音声を増幅するように第１又は２アンプを制御する。
【発明の効果】
【００１４】
以上の説明により、本発明のスライド式携帯電話端末によれば、第２形状では第１形状に比べてマイクとレシーバとの空間音響が大きくなる。また、第２形状では、第１形状に比べて、口元とマイク音孔間の距離が短くなり、マイク音孔に到達する音声音量が高くなる。このため、第２形状であるときに第１アンプのゲインを引き下げる。これにより、開いた状態（第１形状）でも閉じた状態（第２形状）でも適切な空間音響及び音声音量（送話音質）を実現することができる。
【００１５】
また、本発明のスライド式携帯電話端末によれば、第１、２形状であるときにそれぞれ空間音響及び音声音量に適したゲインを第１、２ゲインとしてゲイン調整テーブルに用意しておき、第１形状又は第２形状に応じて第１アンプのゲインを調整する。そこで、第２ゲインは第１ゲインよりも低いため、第２形状であるときに第１アンプのゲインを引き下げることになる。これにより、開いた状態（第１形状）でも閉じた状態（第２形状）でも適切な空間音響及び音声音量（送話音質）を実現することができる。
【００１６】
また、本発明のスライド式携帯電話端末によれば、ユーザが第１形状から第２形状に代えて電話するときに、携帯電話端末を持ち替える必要がない。また、折り畳み式携帯電話端末とは違って、２つのマイクや、２つのレシーバを必要としない。
【発明を実施するための最良の形態】
【００１７】
以下に添付図面を参照して、本発明の実施形態によるスライド式携帯電話端末について詳細に説明する。
【００１８】
［構成］
図１Ａ、１Ｂは、本発明の実施形態によるスライド式携帯電話端末の構成を示す斜視図である。本発明の実施形態によるスライド式携帯電話端末は、第１筐体１（以下、筐体１）と、第２筐体２（以下、筐体２）と、連結部３と、を具備している。また、筐体１の一端部にはマイク音孔１０が設けられている。筐体２の一端部にはレシーバ音孔７０が設けられている。
【００１９】
連結部３は、筐体１、２を連結し、スライド式携帯電話端末が開いた状態である第１形状（以下、形状Ａ）、又は、スライド式携帯電話端末が閉じた状態である第２形状（以下、形状Ｂ）を形成する。図１Ａに示されるように、形状Ａとは、ユーザが筐体２を筐体１に対して平行な方向にスライドさせたときに、筐体１と筐体２とが重ならない状態を表している。図１Ｂに示されるように、形状Ｂとは、ユーザが筐体２を筐体１に対して平行な方向にスライドさせたときに、筐体１と筐体２とが重なる状態を表している。ここで、連結部３の構造によっては、形状Ａは、筐体１と筐体２とが一部重なる状態を表し、形状Ｂは、筐体１と筐体２とが全て重なる状態を表す場合もある。
【００２０】
ここで、筐体１、２、連結部３の構造や、形状Ａ、Ｂについては公知であるため、その詳細については省略する。
【００２１】
本発明の実施形態によるスライド式携帯電話端末は、更に、コンピュータプログラムを格納するメモリ（図示しない）と、コンピュータプログラムを実行するＣＰＵ（Ｃｅｎｔｒａｌ  Ｐｒｏｃｅｓｓｉｎｇ  Ｕｎｉｔ）（図示しない）と、入力装置（図示しない）と、表示装置（図示しない）と、を具備している。ＣＰＵ、メモリは、筐体１又は筐体２に設けられている。入力装置は、例えば筐体２に設けられ、表示装置は、例えば筐体１に設けられている。
【００２２】
図２は、本発明の実施形態によるスライド式携帯電話端末の構成を示すブロック図である。そのスライド式携帯電話端末は、更に、マイク１１と、Ｃｏｄｅｃブロック２０と、ＤＳＰ（Ｄｉｇｉｔａｌ  Ｓｉｇｎａｌ  Ｐｒｏｃｅｓｓｅｒ）ブロック３０と、制御部４０と、ＤＳＰブロック５０と、Ｃｏｄｅｃブロック６０と、パワーアンプ７１と、レシーバ７２と、を具備している。制御部４０、ＤＳＰブロック３０、５０は、ハードウエアでもソフトウェア（コンピュータプログラム）でも実現できる。
【００２３】
マイク１１は、筐体１の一端部のマイク音孔１０内に設けられている（図１Ａ、１Ｂ参照）。
【００２４】
Ｃｏｄｅｃブロック２０は、例えば筐体１内に設けられ、アナログアンプ２１、Ａ／Ｄコンバータ２２、デジタルアンプ２３を備えている。マイク１１の出力には、アナログアンプ２１が接続されている。アナログアンプ２１の出力には、Ａ／Ｄコンバータ２２が接続されている。Ａ／Ｄコンバータ２２の出力には、デジタルアンプ２３が接続されている。
【００２５】
ＤＳＰブロック３０は、例えば筐体１内に設けられ、イコライザ３１、デジタルアンプ３２、第１エコー抑制システム３３（以下、エコー抑制システム３３）を備えている。デジタルアンプ２３の出力には、イコライザ３１が接続されている。イコライザ３１の出力には、デジタルアンプ３２が接続されている。デジタルアンプ３２の出力には、エコー抑制システム３３が接続されている。エコー抑制システム３３の出力には、制御部４０が接続されている。
【００２６】
制御部４０は、筐体１又は筐体２内に設けられている。
【００２７】
ＤＳＰブロック５０は、例えば筐体２内に設けられ、デジタルアンプ５１、イコライザ５２、第２エコー抑制システム５３（以下、エコー抑制システム５３）を備えている。デジタルアンプ５１は、制御部４０に接続されている。デジタルアンプ５１の出力には、イコライザ５２が接続されている。イコライザ５２の出力には、エコー抑制システム５３が接続されている。
【００２８】
Ｃｏｄｅｃブロック６０は、例えば筐体２内に設けられ、デジタルアンプ６１、Ｄ／Ａコンバータ６２、アナログアンプ６３を備えている。エコー抑制システム５３の出力には、デジタルアンプ６１が接続されている。デジタルアンプ６１の出力には、Ｄ／Ａコンバータ６２が接続されている。Ｄ／Ａコンバータ６２の出力には、アナログアンプ６３が接続されている。
【００２９】
パワーアンプ７１は、例えば筐体２内に設けられている。レシーバ７２は、スピーカであり、筐体２の一端部のレシーバ音孔７０内に設けられている（図１Ａ、１Ｂ参照）。パワーアンプ７１の出力には、アナログアンプ６３が接続されている。アナログアンプ６３の出力には、レシーバ７２が接続されている。
【００３０】
［通話処理］
本発明の実施形態によるスライド式携帯電話端末では、通常の携帯電話端末と同様に、ユーザが相手先に電話をかける場合や、相手先から発呼がある場合、ユーザが相手先と通話を行うことができる（以下、通話処理と称する）。この場合、制御部４０は、マイク１１、Ｃｏｄｅｃブロック２０、ＤＳＰブロック３０、ＤＳＰブロック５０、Ｃｏｄｅｃブロック６０、パワーアンプ７１、レシーバ７２を制御する。
【００３１】
通話処理について以下に説明する。
【００３２】
マイク１１は、ユーザの音声を収集する。アナログアンプ２１は、ユーザの音声であるアナログ音声を増幅し、Ａ／Ｄコンバータ２２に出力する。Ａ／Ｄコンバータ２２は、アナログアンプ２１からのアナログ音声をデジタル音声として音声信号に変換し、デジタルアンプ２３に出力する。デジタルアンプ２３は、Ａ／Ｄコンバータ２２からの音声信号を増幅し、イコライザ３１を介してデジタルアンプ３２に出力する。デジタルアンプ３２は、イコライザ３１からの音声信号を増幅し、エコー抑制システム３３を介して制御部４０に出力する。
【００３３】
制御部４０は、エコー抑制システム３３からの音声信号をベースバンド信号に変換し、無線により基地局を介して相手先の電話機に送信する。また、制御部４０は、相手先の電話機から基地局を介して無線によりベースバンド信号を受信し、それを音声信号に変換してデジタルアンプ５１に出力する。
【００３４】
デジタルアンプ５１は、制御部４０からの音声信号を増幅し、イコライザ５２、エコー抑制システム５３を介してデジタルアンプ６１に出力する。デジタルアンプ６１は、デジタルアンプ５１からの音声信号を増幅し、Ｄ／Ａコンバータ６２に出力する。Ｄ／Ａコンバータ６２は、デジタルアンプ６１からの音声信号であるデジタル音声をアナログ音声に変換し、アナログアンプ６３に出力する。アナログアンプ６３は、Ｄ／Ａコンバータ６２からのアナログ音声である相手先の音声をパワーアンプ７１に出力する。パワーアンプ７１は、相手先の音声を増幅し、レシーバ７２に出力する。レシーバ７２は、パワーアンプ７１からの相手先の音声を外部に出力する。
【００３５】
エコー抑制システム３３、５３は、それぞれ、ユーザ、相手先の音声信号のうちの、レシーバ７２とマイク１１との間に生じるエコーを表す信号を抑制するものである。このエコー抑制システム３３、５３は、エコー・サプレス・システム、エコー・キャンセル・システムとも呼ばれる。エコー抑制システム３３、５３は、それぞれ、ユーザ、相手先の音声信号のうちの、エコーを表す信号に、エコーを抑制するためのパラメータを表すキャンセリング信号を加算する。
【００３６】
イコライザ３１、５２は、それぞれ、ユーザ、相手先の音声信号のうちの、音響伝達関数Ｆを表す信号を抑制するものである。イコライザ３１、５２は、それぞれ、ユーザ、相手先の音声信号のうちの、音響伝達関数Ｆを表す信号に、音響伝達関数Ｆを表す信号を排除するための逆関数Ｆ−１を表す信号を乗算する。
【００３７】
上述の構成や通話処理に対する課題について説明する。
【００３８】
［課題１］
図１Ａ、１Ｂに示されるように、連結部３が形状Ｂを形成しているときのレシーバ音孔７０（レシーバ７２）とマイク音孔１０（マイク１１）との直線距離は、連結部３が形状Ａを形成しているときのレシーバ音孔７０（レシーバ７２）とマイク音孔１０（マイク１１）との直線距離よりも短い。このため、形状Ａでは、レシーバ音孔７０（レシーバ７２）とマイク音孔１０（マイク１１）の距離が遠く保たれているが、形状Ｂでは、レシーバ音孔７０とマイク音孔１０が近接することになる。形状Ｂでは、レシーバ音孔７０から出た受話音（相手先の音声）が、マイク１１に回り込み易く、マイク１１とレシーバ７２との空間音響（エコー）が大きくなってしまう。また、形状Ｂでは、レシーバ７２からの受話音がマイク１１に回り込む時間は形状Ａに比べて短い。したがって、形状Ａと形状Ｂとでは、空間音響が変化することが問題になる。
【００３９】
［課題２］
図３Ａ、３Ｂは、それぞれ、形状Ａ、Ｂであるときの通話処理を示している。図３Ａ、３Ｂに示されるように、通話処理において、形状Ｂであるときのレシーバ音孔７０（レシーバ７２）とマイク音孔１０（マイク１１）との直線距離は、形状Ａであるときのレシーバ音孔７０（レシーバ７２）とマイク音孔１０（マイク１１）との直線距離よりも短い。このため、形状Ａでは、話者（ユーザ）の口元とマイク１１の距離が遠いのに対して、形状Ｂでは、話者の口元とマイク１１の距離が近くなってしまう。即ち、形状Ｂでは、話者の口からマイク１１へ伝達する音声の量を表す音声音量が形状Ａに比べて大きくなる。また、形状Ｂでは、話者の口元からマイク１１へ伝達する音声の周波数特性は形状Ａに対して変化する。したがって、形状Ａと形状Ｂとでは、話者の口元からマイク１１への音場伝播の伝達関数（音響伝達関数Ｆ）に相違が生じ、送話音質が変化することが問題になる。
【００４０】
上述の課題１、２に対する解決策について説明する。
【００４１】
［解決策１］
形状Ｂでは、形状Ａに比べて、マイク１１とレシーバ７２との空間音響が大きくなる。したがって、それを緩和するために、アナログアンプ２１、デジタルアンプ２３、３２（以下、第１アンプ２１、２３、３２と称する）のゲインを引き下げる。そのためには、形状Ａ、Ｂであるときにそれぞれ空間音響に適したゲインを用意しておく必要がある。これにより、課題１を解決することができる。
【００４２】
［解決策２］
形状Ｂでは、形状Ａに比べて、口元とマイク音孔１０間の距離が短くなり、マイク音孔１０に到達する音声音量が高くなる。したがって、それを緩和するために、第１アンプ２１、２３、３２のゲインを引き下げる。そのためには、形状Ａ、Ｂであるときにそれぞれ音声音量に適したゲインを用意しておく必要がある。これにより、課題２を解決することができる。
【００４３】
［解決策３］
エコー抑制システム３３、５３は、それぞれ、ユーザ、相手先の音声信号のうちの、エコーを表す信号に、形状Ａ又は形状Ｂであるときでも同じキャンセリング信号を加算している。しかし、課題１で述べたように、形状Ｂでは、レシーバ７２からの受話音がマイク１１に回り込む時間は形状Ａに比べて短いため、形状Ａと形状Ｂとでは空間音響が変化する。そこで、形状Ａ、Ｂであるときにそれぞれ空間音響（エコー）を抑制するために適したパラメータをキャンセリング信号として用意しておく必要がある。これにより、課題１を更に解決することができる。
【００４４】
［解決策４］
イコライザ３１は、ユーザの音声信号のうちの、音響伝達関数Ｆを表す信号に、形状Ａ又は形状Ｂであるときでも同じ逆関数Ｆ−１を表す信号を乗算している。しかし、課題２で述べたように、形状Ｂでは、話者の口元からマイク１１へ伝達する音声の周波数特性は形状Ａに対して変化するため、形状Ａと形状Ｂとでは、話者の口元からマイク１１への音場伝播の伝達関数（音響伝達関数Ｆ）に相違が生じる。そこで、形状Ａ、Ｂであるときにそれぞれ音響伝達関数Ｆを表す信号を排除するために適した逆関数Ｆ−１を用意しておく必要がある。これにより、課題２を更に解決することができる。
【００４５】
図４は、解決策１〜４を実現するための構成として、制御部４０の構成を示すブロック図である。制御部４０は、形状監視部４１、ゲイン調整部４２、エコー抑制部４３、関数切替部４４、ゲイン調整テーブル４５、エコー抑制テーブル４６、関数切替テーブル４７、通話処理部４８を具備している。
【００４６】
図５は、ゲイン調整テーブル４５を示している。ゲイン調整テーブル４５には、形状Ａ、Ｂを表す情報と第１、２ゲインを表す情報とが格納されている。第１ゲインは、形状Ａであるときに第１アンプ２１、２３、３２を制御するための値（空間音響及び音声音量に適した値）を表している。第２ゲインは、形状Ｂであるときに第１アンプ２１、２３、３２を制御するための値（空間音響及び音声音量に適した値）を表し、第１ゲインよりも低い。
【００４７】
図６は、エコー抑制テーブル４６を示している。エコー抑制テーブル４６には、形状Ａ、Ｂを表す情報と第１、２キャンセリング信号とが格納されている。第１キャンセリング信号は、形状Ａであるときにエコーを抑制するためのパラメータを表している。第２キャンセリング信号は、形状Ｂであるときにエコーを抑制するためのパラメータを表している。第１、２キャンセリング信号は、予め決められている。
【００４８】
図７は、関数切替テーブル４７を示している。関数切替テーブル４７には、形状Ａ、Ｂを表す情報と第１、２逆関数Ｆ−１を表す信号とが格納されている。第１逆関数Ｆ−１を表す信号は、形状Ａであるときに音響伝達関数Ｆを表す信号を排除するための逆関数である。第２逆関数Ｆ−１を表す信号は、形状Ｂであるときに音響伝達関数Ｆを表す信号を排除するための逆関数である。第１、２逆関数Ｆ−１を表す信号は、予め決められている。
【００４９】
［動作］
図８は、本発明の実施形態によるスライド式携帯電話端末の動作を示すフローチャートである。
【００５０】
まず、通話処理部４８は、上述の通話処理を実行する（ステップＳ１）。
【００５１】
次に、形状監視部４１は、連結部３を監視し、形状Ａ又は形状Ｂを表す監視結果をゲイン調整部４２、エコー抑制部４３、関数切替部４４に出力する（ステップＳ２）。
【００５２】
ここで、監視結果が形状Ａを表しているものとする（ステップＳ３−ＮＯ）。この場合、ゲイン調整部４２、エコー抑制部４３、関数切替部４４は、形状Ａ用の処理を実行する（ステップＳ４）。
【００５３】
ステップＳ４において、ゲイン調整部４２は、ゲイン調整テーブル４５を参照して、第１ゲインでユーザの音声を増幅するように第１アンプ２１、２３、３２を制御する。
【００５４】
また、ステップＳ４において、エコー抑制部４３は、エコー抑制テーブル４６を参照して、第１キャンセリング信号をエコー抑制システム３３、５３に出力する。エコー抑制システム３３は、ユーザの音声信号のうちの、エコーを表す信号に、第１キャンセリング信号を加算する。エコー抑制システム５３は、相手先の音声信号のうちの、エコーを表す信号に、第１キャンセリング信号を加算する。
【００５５】
また、ステップＳ４において、関数切替部４４は、関数切替テーブル４７を参照して、第１逆関数Ｆ−１を表す信号をイコライザ３１に出力する。イコライザ３１は、ユーザの音声信号のうちの、音響伝達関数Ｆを表す信号に、第１逆関数Ｆ−１を表す信号を乗算する。
【００５６】
ここで、監視結果が形状Ｂを表しているものとする（ステップＳ３−ＹＥＳ）。この場合、ゲイン調整部４２、エコー抑制部４３、関数切替部４４は、形状Ｂ用の処理を実行する（ステップＳ５）。
【００５７】
ステップＳ５において、ゲイン調整部４２は、ゲイン調整テーブル４５を参照して、第２ゲインでユーザの音声を増幅するように第１アンプ２１、２３、３２を制御する。上述のように、第２ゲインは、第１ゲインよりも低い。このため、監視結果が形状Ｂを表す場合、ゲイン調整部４２は、監視結果が形状Ａを表す場合よりも第１アンプ２１、２３、３２のゲインを低減する。
【００５８】
また、ステップＳ５において、エコー抑制部４３は、エコー抑制テーブル４６を参照して、第２キャンセリング信号をエコー抑制システム３３、５３に出力する。エコー抑制システム３３は、ユーザの音声信号のうちの、エコーを表す信号に、第２キャンセリング信号を加算する。エコー抑制システム５３は、相手先の音声信号のうちの、エコーを表す信号に、第２キャンセリング信号を加算する。
【００５９】
また、ステップＳ５において、関数切替部４４は、関数切替テーブル４７を参照して、第２逆関数Ｆ−１を表す信号をイコライザ３１に出力する。イコライザ３１は、ユーザの音声信号のうちの、音響伝達関数Ｆを表す信号に、第２逆関数Ｆ−１を表す信号を乗算する。
【００６０】
ユーザが通話をしながら、スライド式携帯電話端末の形状を変更した場合（ステップＳ６−ＹＥＳ）、上述のステップＳ２が実行される。また、ユーザがスライド式携帯電話端末の形状を変更しないが（ステップＳ６−ＮＯ）、通話処理が継続している場合（ステップＳ７−ＹＥＳ）でも、上述のステップＳ２が実行される。ユーザが通話を終了した場合、通話処理部４８は通話処理を終了する（ステップＳ７−ＮＯ）。
【００６１】
［効果］
以上の説明により、本発明の実施形態によるスライド式携帯電話端末によれば、形状Ｂでは形状Ａに比べてマイク１１とレシーバ７２との空間音響が大きくなる。また、形状Ｂでは、形状Ａに比べて、口元とマイク音孔１０間の距離が短くなり、マイク音孔１０に到達する音声音量が高くなる。このため、形状Ａ、Ｂであるときにそれぞれ空間音響及び音声音量に適したゲインを第１、２ゲインとしてゲイン調整テーブル４５に用意しておき、形状Ａ又は形状Ｂに応じて第１アンプ２１、２３、３２のゲインを調整する。そこで、第２ゲインは第１ゲインよりも低いため、形状Ｂであるときに第１アンプ２１、２３、３２のゲインを引き下げることになる。これにより、開いた状態（形状Ａ）でも閉じた状態（形状Ｂ）でも適切な空間音響及び音声音量（送話音質）を実現することができる。
【００６２】
また、本発明の実施形態によるスライド式携帯電話端末によれば、形状Ｂでは、レシーバ７２からの受話音がマイク１１に回り込む時間は形状Ａに比べて短いため、形状Ａと形状Ｂとでは空間音響が変化する。そこで、形状Ａ、Ｂであるときにそれぞれ空間音響（エコー）を抑制するために適したパラメータを第１、２キャンセリング信号としてエコー抑制テーブル４６に用意しておき、形状Ａ又は形状Ｂに応じて、ユーザ、相手先の音声信号に対する空間音響を抑制する。これにより、開いた状態（形状Ａ）でも閉じた状態（形状Ｂ）でも更に適切な空間音響を実現することができる。
【００６３】
また、本発明の実施形態によるスライド式携帯電話端末によれば、形状Ｂでは、話者の口元からマイク１１へ伝達する音声の周波数特性は形状Ａに対して変化するため、形状Ａと形状Ｂとでは、話者の口元からマイク１１への音場伝播の伝達関数（音響伝達関数Ｆ）に相違が生じる。そこで、形状Ａ、Ｂであるときにそれぞれ音響伝達関数Ｆを表す信号を排除するために適した逆関数Ｆ−１を関数切替テーブル４７に用意しておき、形状Ａ又は形状Ｂに応じて、ユーザの音声信号から、音響伝達関数Ｆを表す信号を排除する。これにより、開いた状態（形状Ａ）でも閉じた状態（形状Ｂ）でも更に適切な音声音量（送話音質）を実現することができる。
【００６４】
また、本発明の実施形態によるスライド式携帯電話端末によれば、ユーザが形状Ａから形状Ｂに代えて電話するときに、携帯電話端末を持ち替える必要がない。また、折り畳み式携帯電話端末とは違って、２つのマイクや、２つのレシーバを必要としない。
【００６５】
なお、本発明の実施形態によるスライド式携帯電話端末では、上述の構成・動作に限定されない。
【００６６】
本発明では、ゲイン調整部４２は、監視結果が形状Ｂを表す場合、第１アンプ２１、２３、３２に代えて、デジタルアンプ５１、６１、アナログアンプ６３（以下、第２アンプ５１、６１、６３と称する）のゲインを低減してもよい。この場合、ゲイン調整テーブル４５には、形状Ａ、Ｂを表す情報と、形状Ａ、Ｂであるときに第２アンプ５１、６１、６３を制御するための第１、２ゲインを表す情報と、が格納されている。ゲイン調整部４２は、監視結果が形状Ａを表す場合、ゲイン調整テーブル４５を参照して、第１ゲインで相手先の音声を増幅するように第２アンプ５１、６１、６３を制御する。ゲイン調整部４２は、監視結果が形状Ｂを表す場合、ゲイン調整テーブル４５を参照して、第２ゲインで相手先の音声を増幅するように第２アンプ５１、６１、６３を制御する。
【００６７】
また、本発明では、図９に示されるように、イコライザ３１とデジタルアンプ３２とが接続される順番と、デジタルアンプ５１とイコライザ５２とが接続される順番と、を入れ替えてもよい。
【図面の簡単な説明】
【００６８】
【図１Ａ】図１Ａは、本発明の実施形態によるスライド式携帯電話端末の構成を示す斜視図である。
【図１Ｂ】図１Ｂは、本発明の実施形態によるスライド式携帯電話端末の構成を示す斜視図である。
【図２】図２は、本発明の実施形態によるスライド式携帯電話端末の構成を示すブロック図である。
【図３Ａ】図３Ａは、本発明の実施形態によるスライド式携帯電話端末が形状Ａであるときの通話処理を示している。
【図３Ｂ】図３Ｂは、本発明の実施形態によるスライド式携帯電話端末が形状Ｂであるときの通話処理を示している。
【図４】図４は、解決策１〜４を実現するための構成として、図２の制御部４０の構成を示すブロック図である。
【図５】図５は、ゲイン調整テーブル４５を示している。
【図６】図６は、エコー抑制テーブル４６を示している。
【図７】図７は、関数切替テーブル４７を示している。
【図８】図８は、本発明の実施形態によるスライド式携帯電話端末の動作を示すフローチャートである。
【図９】図９は、本発明の実施形態によるスライド式携帯電話端末の他の構成を示すブロック図である。
【符号の説明】
【００６９】
１    筐体、
２    筐体、
３    連結部、
１０    マイク音孔、
１１    マイク、
２０    Ｃｏｄｅｃブロック、
２１    アナログアンプ、
２２    Ａ／Ｄコンバータ、
２３    デジタルアンプ、
３０    ＤＳＰ（Ｄｉｇｉｔａｌ  Ｓｉｇｎａｌ  Ｐｒｏｃｅｓｓｅｒ）ブロック、
３１    イコライザ、
３２    デジタルアンプ、
３３    エコー抑制システム（エコー・サプレス・システム、エコー・キャンセル・システム）、
４０    制御部、
４１    形状監視部、
４２    ゲイン調整部、
４３    エコー抑制部、
４４    関数切替部、
４５    ゲイン調整テーブル、
４６    エコー抑制テーブル、
４７    関数切替テーブル、
４８    通話処理部、
５０    ＤＳＰブロック、
５１    デジタルアンプ、
５２    イコライザ、
５３    エコー抑制システム、
６０    Ｃｏｄｅｃブロック、
６１    デジタルアンプ、
６２    Ｄ／Ａコンバータ、
６３    アナログアンプ、
７０    レシーバ音孔、
７１    パワーアンプ、
７２    レシーバ、
【図１Ａ】
2010103854.tif 000003
【図１Ｂ】
2010103854.tif 000004
【図２】
2010103854.tif 000005
【図３Ａ】
2010103854.tif 000006
【図３Ｂ】
2010103854.tif 000007
【図４】
2010103854.tif 000008
【図５】
2010103854.tif 000009
【図６】
2010103854.tif 000010
【図７】
2010103854.tif 000011
【図８】
2010103854.tif 000012
【図９】
2010103854.tif 000013